(57)【要約】【課題】弦の自由端部と打面とを直接接触させると共に、弦と打面との接触状態を変化させることで音を調整し、調整した状態を保持する打楽器を提供すること。【解決手段】打楽器１は、各側面が板状部材で形成された箱体２と、箱体２の内部に取り付け可能な弦調整装置３と、一端が弦調整装置３に固定された弦４からなる弦ユニット５と、弦調整装置３を箱体２の内部に支持する装置支持部６とを備える。弦調整装置３は、第一側面７に対して平行な回転軸８と、弦ユニット５を支持し回転軸８に連結された弦支持部材１０とを備える。弦調整装置３は、弦支持部材１０を作動させる調整軸１１と、装置支持部６に支持される調整装置基台９とを備え、弦支持部材１０と調整装置基台９とに係合された弾性部材１３により弦支持部材１０と調整軸１１とはそれぞれの状態が保持される。【選択図】図１
2020020900.tif 000002
【特許請求の範囲】
【請求項１】
各側面が板状部材で形成された箱体と、
前記箱体の内部に取り付け可能な弦調整装置と、
一端が前記弦調整装置に固定された弦からなる弦ユニットと、
前記弦調整装置を前記箱体の内部に支持する装置支持部と
を備え、
前記弦調整装置は、
前記側面のうちの第一側面に対して平行な回転軸と、
前記弦ユニットを支持し、前記回転軸に連結された弦支持部材と、
前記弦支持部材を作動させる調整軸と、
前記装置支持部に支持される調整装置基台と、
前記調整装置基台に形成され、前記調整軸を支持する調整軸支持部と、
前記弦支持部材と、前記調整装置基台とに係合された弾性部材とを備え、
前記調整軸は、前記第一側面と直交する方向に中心軸を有し、該中心軸の周りに回転可能であり、少なくとも一部に雄ネジ部を備え、
前記調整軸支持部は雌ネジ部を備え、前記調整軸と前記調整軸支持部とが螺合し、
前記調整軸は、該中心軸の周りに回転させると前記調整軸支持部に対して前記第一側面と直交する方向に移動し、
前記調整軸における前記第一側面の側の端部は、直接的に又は間接的に前記弦支持部材に接触し、
前記弾性部材は、前記弦支持部材と前記調整装置基台とが互いに引き合う方向の弾性力を有し、前記調整軸を回転させないときは、前記弦支持部材と前記調整軸とはそれぞれの状態が保持され、
前記調整軸を前記第一側面の方向に移動させると、前記弾性部材の弾性力に抗して前記弦支持部材が前記回転軸を介して回転し、前記弦ユニットにおける前記弦の自由端部の側が前記第一側面の内側に接触する方向に移動するか、或いは前記弦と前記第一側面との接触長さが増加し、
前記調整軸を前記第一側面とは反対の方向に移動させると、前記弾性部材によって前記弦支持部材が前記回転軸を介して回転し、前記接触長さが減少するか、或いは前記弦の自由端部の側が前記第一側面の内側から遠ざかる方向に移動することを特徴とする打楽器。
【請求項２】
前記弦ユニットは前記弦を複数本備え、前記弦は互いに異なる長さを有するものが含まれることを特徴とする請求項１に記載の打楽器。
【請求項３】
前記弦調整装置は、さらに前記第一側面に直交する方向に移動可能な可動部を備え、
前記調整装置基台には、前記可動部の移動を案内する可動部案内部が形成され、
前記弦支持部材は、第一弦支持部材と第二弦支持部材とからなり、
前記第一弦支持部材と前記第二弦支持部材とは、前記調整装置基台を挟んで対象の位置関係にあり、
前記弾性部材は、前記第一弦支持部材と前記調整装置基台とに係合された第一弾性部材と、前記第二弦支持部材と前記調整装置基台とに係合された第二弾性部材とからなり、
前記弦ユニットは、一端が前記第一弦支持部材に固定された第一弦ユニットと、一端が前記第二弦支持部材に固定された第二弦ユニットとからなり、
前記第一弦ユニットと前記第二弦ユニットとの前記弦の自由端部は、前記調整装置基台を挟んで互いに反対の方向に向いており、
前記第一側面に直交する方向において、前記調整軸の前記第一側面の側の端部は、前記可動部を挟んで間接的に前記第一弦支持部材と前記第二弦支持部材に接触し、
前記調整軸が移動すると、前記可動部が移動して前記第一弦支持部材と前記第二弦支持部材とを作動させることを特徴とする請求項１又は２に記載の打楽器。
【請求項４】
前記調整装置基台には、さらに前記調整軸よりも前記第一側面の側に接触軸支持部が形成され、
前記可動部は、
可動プレートと、
一端が前記可動プレートに固定され、他端が前記第一弦支持部材に接触し、前記調整軸と平行に延びる第一接触軸と、
一端が前記可動プレートに固定され、他端が前記第二弦支持部材に接触し、前記調整軸と平行に延びる第二接触軸とを備え、
前記第一接触軸と前記第二接触軸とは、前記調整装置基台を挟んで対象の位置関係にあり、
前記回転軸は、前記調整装置基台と前記第一弦支持部材とに連結された第一回転軸と、前記調整装置基台と前記第二弦支持部材とに連結された第二回転軸とからなり、
前記接触軸支持部は、前記第一接触軸と前記第二接触軸とを支持し、
前記第一弾性部材は、前記第一弦支持部材と前記接触軸支持部とに係合され、
前記第二弾性部材は、前記第二弦支持部材と前記接触軸支持部とに係合され、
前記調整軸が移動すると、前記可動プレートが移動し、前記第一接触軸が前記第一弦支持部材を作動させ、前記第二接触軸が前記第二弦支持部材を作動させることを特徴とする請求項３に記載の打楽器。
【請求項５】
前記第一接触軸と前記第二接触軸とは、前記可動プレートに対してそれぞれ前記第一側面と直交する方向への移動と固定とが可能であることを特徴とする請求項４に記載の打楽器。
【請求項６】
前記装置支持部は、前記第一側面を挟んで対向する第二側面の内側と第三側面の内側に備えられ、前記調整装置基台を支持することを特徴とする請求項１から５の何れかに記載の打楽器。
【請求項７】
前記弦調整装置を前記箱体の内部に取り付ける装置固定部を備え、
前記装置固定部は、
前記調整装置基台に備えられた基台固定部と、
前記調整装置基台と前記装置支持部とを固定する固定部材と、
前記装置支持部にあって、前記基台固定部と対応する位置に基台支持部開口部を備え、
前記固定部材は、前記基台固定部と係合する固定部材軸部と、固定部材頭部とを備え、
前記基台支持部開口部は、前記固定部材軸部が挿入可能であり、前記第一側面に直交する方向において前記固定部材軸部よりも大きな開口を有し、
前記弦調整装置は、前記装置支持部に対して前記第一側面に直交する方向に移動可能であって、複数の位置に固定可能であることを特徴とする請求項１から６のいずれかに記載の打楽器。
【請求項８】
前記第一側面と対向する第四側面は開口部を備え、
前記第四側面と直交する方向における外側から前記開口部を見たときに、前記調整軸に備えられた軸頭部は前記開口部の範囲内にあることを特徴とする請求項１から７の何れかに記載の打楽器。
【発明の詳細な説明】
【技術分野】
【０００１】
本発明は、箱体の側面に設けられた打面と、打面の内側に設けられた弦によって、打面を叩打することにより共鳴音を発生する打楽器に関する。
【背景技術】
【０００２】
従来、打楽器としてカホンと言われるものが知られている。例えば、特許文献１に記載の打楽器の音調整装置はカホンに関する。カホンは、内部が空洞である箱体の側面に設けられた打面を叩打することにより共鳴音を発生させるものである。特許文献１の記載によれば、弦の両端を固定部によって固定し、弦の一端に接続されて打面と直交する方向にスライドするスライド部を移動させることにより、弦を打面から離接又は密接させたり、弦を緊張又は弛緩させたりして弦を調節するものである。これにより、カホンの音を調整するものである。
【先行技術文献】
【特許文献】
【０００３】
【特許文献１】特開２０１１−８０４０号公報
【発明の概要】
【発明が解決しようとする課題】
【０００４】
しかしながら、従来例では弦の両端が固定されているので、スライド部で弦の調節を行っても、弦の自由端部が打面と直接接触することがない。よって、従来例では、弦の自由端部と打面とが直接接触することで発生する共鳴音を発生させることができないという問題がある。また、従来例ではスライド部がボルトとナットによって形成され、ボルトを回転させることで弦を調整するが、調整した状態を保持する構成が無い。よって、従来例では、弦を調整した状態を保持することができず、打面を叩打する時に発生する振動によって弦の調整状態が変化してしまうという問題がある。
【０００５】
本発明の目的は、従来の課題を解決すべくなされたものであり、弦の自由端部と打面とを直接接触させると共に、弦と打面との接触状態を変化させることで音を調整し、調整した状態を保持する打楽器を提供することにある。
【課題を解決するための手段】
【０００６】
本発明の態様に係る打楽器は、各側面が板状部材で形成された箱体と、前記箱体の内部に取り付け可能な弦調整装置と、一端が前記弦調整装置に固定された弦からなる弦ユニットと、前記弦調整装置を前記箱体の内部に支持する装置支持部とを備え、前記弦調整装置は、前記側面のうちの第一側面に対して平行な回転軸と、前記弦ユニットを支持し、前記回転軸に連結された弦支持部材と、前記弦支持部材を作動させる調整軸と、前記装置支持部に支持される調整装置基台と、前記調整装置基台に形成され、前記調整軸を支持する調整軸支持部と、前記弦支持部材と、前記調整装置基台とに係合された弾性部材とを備え、前記調整軸は、前記第一側面と直交する方向に中心軸を有し、該中心軸の周りに回転可能であり、少なくとも一部に雄ネジ部を備え、前記調整軸支持部は雌ネジ部を備え、前記調整軸と前記調整軸支持部とが螺合し、前記調整軸は、該中心軸の周りに回転させると前記調整軸支持部に対して前記第一側面と直交する方向に移動し、前記調整軸における前記第一側面の側の端部は、直接的に又は間接的に前記弦支持部材に接触し、前記弾性部材は、前記弦支持部材と前記調整装置基台とが互いに引き合う方向の弾性力を有し、前記調整軸を回転させないときは、前記弦支持部材と前記調整軸とはそれぞれの状態が保持され、前記調整軸を前記第一側面の方向に移動させると、前記弾性部材の弾性力に抗して前記弦支持部材が前記回転軸を介して回転し、前記弦ユニットにおける前記弦の自由端部の側が前記第一側面の内側に接触する方向に移動するか、或いは前記弦と前記第一側面との接触長さが増加し、前記調整軸を前記第一側面とは反対の方向に移動させると、前記弾性部材によって前記弦支持部材が前記回転軸を介して回転し、前記接触長さが減少するか、或いは前記弦の自由端部の側が前記第一側面の内側から遠ざかる方向に移動することを特徴とする。
【０００７】
これによれば、打楽器は、弦の自由端部と打面とを直接接触させると共に、弦と打面である第一側面の内側との接触状態を変化させることで音を調整することができる。また、調整軸を回転させることにより弦支持部材を回転させ、弦と打面である第一側面の内側との接触状態を変化させて音を調整することができる。調整軸は、調整軸の雄ネジ部と調整軸支持部の雌ネジ部とが螺合しているので、回転させることにより微調整が可能である。また、打楽器は、調整軸を回転させないときは、弾性部材が有する弾性力によって弦支持部材の状態が保持される。よって、打楽器は、調整軸で音を調整した状態を保持することができる。
【０００８】
また、前記打楽器は、前記弦ユニットが前記弦を複数本備え、前記弦は互いに異なる長さを有するものが含まれてもよい。この場合、複数本であってさらには異なる長さの弦が含まれることにより発生する振動音を得ることができる。
【０００９】
また、前記打楽器は、前記弦調整装置が、さらに前記第一側面に直交する方向に移動可能な可動部を備え、前記調整装置基台には、前記可動部の移動を案内する可動部案内部が形成され、前記弦支持部材は、第一弦支持部材と第二弦支持部材とからなり、前記第一弦支持部材と前記第二弦支持部材とは、前記調整装置基台を挟んで対象の位置関係にあり、前記弾性部材は、前記第一弦支持部材と前記調整装置基台とに係合された第一弾性部材と、前記第二弦支持部材と前記調整装置基台とに係合された第二弾性部材とからなり、前記弦ユニットは、一端が前記第一弦支持部材に固定された第一弦ユニットと、一端が前記第二弦支持部材に固定された第二弦ユニットとからなり、前記第一弦ユニットと前記第二弦ユニットとの前記弦の自由端部は、前記調整装置基台を挟んで互いに反対の方向に向いており、前記第一側面に直交する方向において、前記調整軸の前記第一側面の側の端部は、前記可動部を挟んで間接的に前記第一弦支持部材と前記第二弦支持部材に接触し、前記調整軸が移動すると、前記可動部が移動して前記第一弦支持部材と前記第二弦支持部材とを作動させてもよい。
【００１０】
この場合、打楽器は、第一弦ユニットと第二弦ユニットとを備え、打面である第一側面の内側にそれぞれ接触する。よって、打面を叩打したときに、弦ユニットが１つのみの場合に比べて上下方向に隔たれた位置で弦と打面の内側との振動音を発生させることができる。従来には無かった音を発生させることができる。
【００１１】
また、調整軸の第一側面の側の端部は、可動部を挟んで間接的に弦支持部材に接触する。可動部は、可動部案内部によって移動する際に案内される。第一弦支持部材と第二弦支持部材とは、調整装置基台を挟んで対象の位置関係にあり、第一弦ユニットと第二弦ユニットとは、調整装置基台を挟んで互いに反対の方向に延びる。よって、調整軸を回転させることにより、第一弦支持部材と第二弦支持部材とを同時に回転させることができるので、第一弦ユニットと第二弦ユニットとが第一側面の内側と接触する状態を変化させることができる。
【００１２】
また、第一弦支持部材と調整装置基台とに係合された第一弾性部材を備える。第二弦支持部材と調整装置基台とに係合された第二弾性部材を備える。第一弦支持部材は第一弾性部材により、第二弦支持部材は第二弾性部材により、回転した状態が保持される。よって、打楽器は、調整軸により第一弦支持部材と第二弦支持部材とを同時に回転させ、音を調整した状態を保持することができる。
【００１３】
また、前記打楽器は、前記調整装置基台には、さらに前記調整軸よりも前記第一側面の側に接触軸支持部が形成され、前記可動部は、可動プレートと、一端が前記可動プレートに固定され、他端が前記第一弦支持部材に接触し、前記調整軸と平行に延びる第一接触軸と、一端が前記可動プレートに固定され、他端が前記第二弦支持部材に接触し、前記調整軸と平行に延びる第二接触軸とを備え、前記第一接触軸と前記第二接触軸とは、前記調整装置基台を挟んで対象の位置関係にあり、前記回転軸は、前記調整装置基台と前記第一弦支持部材とに連結された第一回転軸と、前記調整装置基台と前記第二弦支持部材とに連結された第二回転軸とからなり、前記接触軸支持部は、前記第一接触軸と前記第二接触軸とを支持し、前記第一弾性部材は、前記第一弦支持部材と前記接触軸支持部とに係合され、前記第二弾性部材は、前記第二弦支持部材と前記接触軸支持部とに係合され、前記調整軸が移動すると、前記可動プレートが移動し、前記第一接触軸が前記第一弦支持部材を作動させ、前記第二接触軸が前記第二弦支持部材を作動させてもよい。
【００１４】
この場合、第一弦支持部材と第二弦支持部材とは、それぞれ独立した第一回転軸と第二回転軸に連結され、可動プレートに固定された第一接触軸と第二接触軸とに接触する。よって、調整軸を回転させたときに、第一弦支持部材と第二弦支持部材とを同時により確実に回転させ、音を調整することができる。
【００１５】
また、前記打楽器は、前記第一接触軸と前記第二接触軸とは、前記可動プレートに対してそれぞれ前記第一側面と直交する方向への移動と固定とが可能であってもよい。この場合、第一弦支持部材と第一接触軸との接触状態と第二弦支持部材と第二接触軸との接触状態とをそれぞれ独立して調整することができる。よって、第一弦ユニットと第二弦ユニットとがそれぞれ第一側面の内側と接触する状態を独立して調整することができる。
【００１６】
また、前記打楽器は、前記装置支持部が、前記第一側面を挟んで対向する第二側面の内側と第三側面の内側に備えられ、前記調整装置基台を支持してもよい。この場合、打楽器は、調整装置基台が打面である第一側面とは異なる第二側面と第三側面とに支持されるので、打面で発生する音へ及ぼす影響が少ない。
【００１７】
また、前記打楽器は、前記弦調整装置を前記箱体の内部に取り付ける装置固定部を備え、前記装置固定部は、前記調整装置基台に備えられた基台固定部と、前記調整装置基台と前記装置基台支持部とを固定する固定部材と、前記装置支持部にあって、前記基台固定部と対応する位置に基台支持部開口部を備え、前記固定部材は、前記基台固定部と係合する固定部材軸部と、固定部材頭部とを備え、前記基台支持部開口部は、前記固定部材軸部が挿入可能であり、前記第一側面に直交する方向において前記固定部材軸部よりも大きな開口を有し、前記弦調整装置は、前記装置支持部に対して前記第一側面に直交する方向に移動可能であって、複数の位置に固定可能であってもよい。
【００１８】
この場合、弦調整装置は、装置固定部によって、箱体に対し前後方向において複数の位置に固定可能なので、弦と第一側面の内側との接触状態を調整することができる。
【００１９】
また、前記打楽器は、前記第一側面と対向する第四側面は開口部を備え、前記第四側面と直交する方向における外側から前記開口部を見たときに、前記調整軸に備えられた軸頭部は前記開口部の範囲内にあってもよい。
【００２０】
この場合、この場合、打楽器は開口部から軸頭部を操作することができるので、音を調整するときにいちいち第四側面を取り外す必要が無い。さらに、開口部は音出力用の開口の役目を果たす。打楽器は開口部から軸頭部を操作することができるので、音を調整するときにいちいち第四側面を取り外す必要が無い。
【図面の簡単な説明】
【００２１】
【図１】第一の実施形態の打楽器１ａを示した斜視図である。
【図２】第一の実施形態の打楽器１ａを示した図であって、図１におけるＡ視図（第三側面２２を取り外した状態の断面図）であり、弦４の自由端部４ａが第一側面７の内側から離間した状態を示す。
【図３】第一の実施形態の打楽器１ａを示した図であって、図１におけるＡ視図（第三側面２２を取り外した状態の断面図）であり、弦４が第一側面７の内側と接触長さＬで接触した状態を示す。
【図４】第一の実施形態の打楽器１ａを示した図であって、図１におけるＢ視図（第一側面７を取り外した状態の断面図）である。
【図５】第一の実施形態の打楽器１ａを示した図であって、図１におけるＣ視図（第五側面４０を取り外した状態の断面図）である。
【図６】第一の実施形態の打楽器１ａを示した図であって、（ａ）は図１におけるＤ視図（第四側面２３を取り外した状態の断面図）であり、（ｂ）は開口部２４の詳細図である。
【図７】第一の実施形態の打楽器１ａを示した図であって、図１におけるＥ視図（第六側面４１を取り外した状態の断面図）である。
【図８】弦４を拡大した図であり、（ａ）は図４におけるＨ部詳細図であり、（ｂ）は（ａ）におけるＦ視図である。
【図９】第二の実施形態の打楽器１ｂを示した斜視図である。
【図１０】第二の実施形態の打楽器１ｂを示した図であって、図９におけるＡ視図（第三側面２２を取り外した状態の断面図）であり、弦４の自由端部４ａが第一側面７の内側から離間した状態を示す。
【図１１】第二の実施形態の打楽器１ｂを示した図であって、図９におけるＡ視図（第三側面２２を取り外した状態の断面図）であり、弦４が第一側面７の内側と接触長さＬで接触した状態を示す。
【図１２】第二の実施形態の打楽器１ｂを示した図であって、図９におけるＢ視図（第一側面７を取り外した状態の断面図）である。
【図１３】第二の実施形態の打楽器１ｂを示した図であって、図９におけるＣ視図（第五側面４０を取り外した状態の断面図）である。
【図１４】第二の実施形態の打楽器１ｂを示した図であって、図９におけるＤ視図（第四側面２３を取り外した状態の断面図）である。
【図１５】第二の実施形態の打楽器１ｂを示した図であって、図９におけるＥ視図（第六側面４１を取り外した状態の断面図）である。
【図１６】第三の実施形態の打楽器１ｃを示した斜視図である。
【図１７】第三の実施形態の打楽器１ｃを示した図であって、図１６におけるＡ視図（第三側面２２を取り外した状態の断面図）であり、弦４の自由端部４ａが第一側面７の内側から離間した状態を示す。
【図１８】第三の実施形態の打楽器１ｃを示した図であって、図１６におけるＡ視図（第三側面２２を取り外した状態の断面図）であり、弦４が第一側面７の内側と接触長さＬで接触した状態を示す。
【図１９】第三の実施形態の打楽器１ｃを示した図であって、図１６におけるＢ視図（第一側面７を取り外した状態の断面図）である。
【図２０】第三の実施形態の打楽器１ｃを示した図であって、図１６におけるＣ視図（第五側面４０を取り外した状態の断面図）である。
【図２１】第三の実施形態の打楽器１ｃを示した図であって、図１６におけるＤ視図（第四側面２３を取り外した状態の断面図）である。
【図２２】第三の実施形態の打楽器１ｃを示した図であって、図１６におけるＥ視図（第六側面４１を取り外した状態の断面図）である。
【発明を実施するための形態】
【００２２】
以下、図面を参照し、本発明を具現化した打楽器１を説明する。参照する図面は、本発明が採用しうる技術的特徴を説明するために用いられるものである。図面に記載されている装置の構成は、それのみに限定する趣旨ではなく、単なる説明例である。なお、本発明を打楽器１の例としてカホンについて適用した場合について説明する。ただし、カホンに限定されるものではなく他の打楽器にも採用可能なことは勿論である。
【００２３】
＜打楽器１共通の構成＞
図面を参照して、本発明に係る打楽器１の概要を説明する。第一の実施形態から第三の実施形態の打楽器１はそれぞれ後述するが、まず、代表図として図１を参照して共通の構成を説明する。打楽器１は、各側面（第一側面７から第六側面４１）が板状部材で形成された箱体２と、箱体２の内部に取り付け可能な弦調整装置３を備える。さらに、打楽器１は、一端が弦調整装置３に固定された弦４からなる弦ユニット５と、弦調整装置３を箱体２の内部に支持する装置支持部６とを備える。
【００２４】
箱体２は、打面としての第一側面７、第一側面７を挟んで対向する第二側面２１と第三側面２２、第一側面７と対向する第四側面２３、天板側の第五側面４０、底面側の第六側面４１からなる。説明のため、第五側面４０と第六側面４１とを結ぶ方向を上下方向として第五側面４０の側を上側とする。第二側面２１と第三側面２２とを結ぶ方向を幅方向とする。第一側面７と第四側面２３とを結ぶ方向を前後方向とし、第一側面７の側を前側とする。なお、箱体２を設置する向きは任意であり、上下方向、幅方向、及び前後方向は設置される向きによって変化する。例えば、打面を第一側面７としたときに第六側面４１を底面側としているが、第六側面４１が天板側になってもよい。或いは、第二側面２１或いは第三側面２２が底面側としてもよい。
【００２５】
箱体２を構成する各側面は、通常木材が使用され、例えばシナベニヤ、ラワンベニヤ等が使用され、板厚は通常２．５ｍｍ〜１２ｍｍ程度である。例として、第一側面７は２.５〜３ｍｍ、第四側面２３は４〜５ｍｍ、第二側面２１、第三側面２２、第五側面４０、及び第六側面４１は９〜１２ｍｍである。ただし、使用用途や発生させる音質に応じて板材の種類（木材に限らず、樹脂等）、板厚は任意に設定可能である。第一側面７は、打面として使用される。打面は、人が直接手、又はその他の道具を使用して叩打する面である。通常、第一側面７は他の側面に比べて薄い板材が使用される。
【００２６】
図８に示すように、弦４はストレートの線状部材の他にらせん状のスナッピーを使用してもよい。図８（ａ）、（ｂ）に示すように、弦４の一例として、立体的にらせん状の部材を使用することができる。弦４の材質は、主にスチール、ステンレス、ブラス、ブロンズなどが使用されるが、他の材質でもよい。
【００２７】
弦ユニット５は、複数の弦４からなる。弦４は、互いに異なる長さを有するものが含まれてもよい（図４参照）。或いは、全てが同じ長さでもよい。打楽器１によって発生させる音に応じて設定が可能である。
【００２８】
＜第一実施形態の打楽器１ａの構成＞
次に、図１〜図７を参照して、本発明に係る第一の実施形態である打楽器１ａの構成を説明する。前述した、打楽器１の共通の構成と同様の要素については同様の符号を付し、説明を省略する場合がある。後述する第二の実施形態の打楽器１ｂ、第三の実施形態の打楽器１ｃも同様である。
【００２９】
弦調整装置３は、側面のうちの第一側面７に対して平行な回転軸８と、弦ユニット５を支持し、回転軸８に連結された弦支持部材１０とを備える。また、弦調整装置３は、弦支持部材１０を作動させる調整軸１１と、装置支持部６に支持される調整装置基台９と、調整装置基台９に形成され、調整軸１１を支持する調整軸支持部１２とを備える。さらに、弦支持部材１０と、調整装置基台９とに係合された弾性部材１３とを備える。調整軸１１は、第一側面７と直交する方向に中心軸１１ｃを有し、中心軸１１ｃの周りに回転可能であり、少なくとも一部に雄ネジ部を備える。
【００３０】
調整軸支持部１２は雌ネジ部１２ｄを備え、調整軸１１と調整軸支持部１２とが螺合し、調整軸１１は、中心軸１１ｃの周りに回転させると調整軸支持部１２に対して第一側面７と直交する方向に移動する。調整軸１１における第一側面７の側の端部１１ｂは、直接的に又は間接的に弦支持部材１０に接触する。弾性部材１３は、弦支持部材１０と調整装置基台９とが互いに引き合う方向の弾性力を有し、調整軸１１を回転させないときは、弦支持部材１０と調整軸１１とはそれぞれの状態が保持される。
【００３１】
打楽器１ａの構成をさらに詳細に説明する。図１〜図７に示すように、弦調整装置３は、装置支持部６を構成する装置支持レール６ａと装置基台支持部６ｂに支持される調整装置基台９を備える。装置支持レール６ａは、上下方向において調整装置基台９の上側と、調整装置基台９の下側を支持する装置基台支持部６ｂの下側とにある。装置基台支持部６ｂは、下側の装置支持レール６ａに固定されている。図２〜図７に示した例では、装置基台支持部６ｂは下側の装置支持レール６ａに固定されている。別の例として、下側の装置支持レール６ａを無くして装置基台支持部６ｂが第二側面２１の内側と第三側面２２の内側に直接固定されてもよい。或いは、装置基台支持部６ｂと下側の装置支持レール６ａとが一体で形成され、第二側面２１の内側と第三側面２２の内側に固定されてもよい。
【００３２】
装置支持レール６ａと、装置基台支持部６ｂと、調整装置基台９と、弦支持部材１０との材質は、箱体２を構成する各側面と同様に木材が使用されることが望ましい。木材によって発生する共鳴音が得られるからである。ただし、木材に限らず、樹脂、金属等他の材質を使用してもよい。また、調整軸１１は木ネジでもよいし金属製のネジでもよい。なお、上記の材質の選定については、後述する打楽器１ｂ、打楽器１ｃも同様である。
【００３３】
調整軸１１における第一側面７の側の端部１１ｂは、直接的に又は間接的に弦支持部材１０に接触する。図２及び図３においては、端部１１ｂが直接弦支持部材１０に接触する例を示しているが、端部１１ｂと弦支持部材１０との間に他の部材が介在してもよい。
【００３４】
図５に示すように、調整軸１１は幅方向における略中心に位置し、第一側面７と直交する方向（前後方向）に延びている。図１〜図３、図５に示すように、弾性部材１３は例として引きバネが使用され、弦支持部材１０の上端部であって幅方向の略中心と、調整装置基台９に形成された調整軸支持部１２の上端部であって幅方向の略中心に係合されている。弾性部材１３は、常に弦支持部材１０と調整軸支持部１２とが引き合うように弾性力が発生している。なお、弾性部材１３は、弦支持部材１０及び調整装置基台９における調整軸支持部１２以外の部分と係合されてもよい。ここで、装置支持レール６ａと装置基台支持部６ｂとが、「装置支持部」に相当する。
【００３５】
図４に示すように、弦支持部材１０には弦ユニット５が２組備えられている。向かって左側の弦ユニット５における弦４の長さは、向かって右側の弦ユニット５における弦４の長さよりも短い。これは、弦４の長さを異ならせることにより、発生する振動音を異ならせるためである。なお、図４において、２組の弦ユニット５の弦４における自由端部４ａは、上下方向の位置が同じであるが異なる位置でもよい。
【００３６】
図５に示すように、調整装置基台９は平板状の部材である。装置支持部６である装置支持レール６ａと装置基台支持部６ｂは、第一側面７を挟んで対向する第二側面２１の内側と第三側面２２の内側に備えられ、調整装置基台９を支持する。図４、図６に示すように、装置支持レール６ａと装置基台支持部６ｂは、調整装置基台９を挟むようにレール状に形成されている。弦調整装置３は、第四側面２３の側から第一側面７の方向に向かって挿入され、装置支持レール６ａと装置基台支持部６ｂとのレールに沿って取り付けられる。なお、図１２〜図１５、図１９〜図２２に示すように、第二の実施形態の打楽器１ｂと第三の実施形態の打楽器１ｃも同様である。
【００３７】
図２〜図７に示すように、打楽器１ａは弦調整装置３を箱体２の内部に取り付ける装置固定部５０を備える。装置固定部５０は、調整装置基台９に備えられた基台固定部５１と、調整装置基台９と装置支持部６とを固定する固定部材５３と、装置支持部６にあって、基台固定部５１と対応する位置に基台支持部開口部５２を備える。固定部材５３は、基台固定部５１と係合する固定部材軸部５３ａと、固定部材頭部５３ｂとを備える。基台支持部開口部５２は、固定部材軸部５３ａが挿入可能であり、第一側面７に直交する方向において固定部材軸部５３ａよりも大きな開口を有する。固定部材５３は、幅方向の略中心の１箇所に位置するよう構成されている。弦調整装置３は、装置支持部６に対して第一側面７に直交する方向に移動可能であって、複数の位置に固定可能である。
【００３８】
装置固定部５０をさらに詳細に説明する。図２及び図３に示すように、調整装置基台９に基台固定部５１が形成され、装置支持部６の一部である装置基台支持部６ｂに基台支持部開口部５２が形成されている。図７に示すように、第五側面４０又は第六側面４１から調整装置基台９を見たときに、基台支持部開口部５２の中に基台固定部５１が含まれる形状とサイズである。基台支持部開口部５２は、基台固定部５１に対して前後方向に長い開口である。図２、図３に示すように、固定部材５３の一部である固定部材軸部５３ａが下側から挿入されて基台固定部５１に係合する。
【００３９】
例として、固定部材軸部５３ａには雄ネジが形成され、基台固定部５１には雌ネジが形成され、固定部材５３と基台固定部５１とが締結される。或いは、固定部材軸部５３ａがセルフタップタイプの雄ネジの場合、基台固定部５１は下穴が形成されているだけでもよい。調整装置基台９は、固定部材軸部５３ａと基台支持部開口部５２との間には前後方向に隙間が形成されているので、固定部材５３と基台固定部５１とが締結されていない状態では前後方向に移動可能である。図７に示すように、調整装置基台９が最も前側に位置した状態が二点鎖線で示した９ａであり、調整装置基台９が最も後側に位置した状態が二点鎖線で示した９ｂである。
【００４０】
なお、固定部材軸部５３ａは雄ネジに限定されず他の構成を備えても良い。図示しないが、例えば固定部材軸部５３ａの長手方向に割ピンのような溝を形成し、基台固定部５１に圧入しても良い。また、基台固定部５１は調整装置基台９に形成され、基台支持部開口部５２は装置基台支持部６ｂに形成されているが、これに限らない。例えば、基台固定部５１が装置基台支持部６ｂに形成され、基台支持部開口部５２に対応した開口が調整装置基台９に形成され、固定部材軸部５３ａが上側から挿入されて固定部材頭部５３ｂが上側にあってもよい。
【００４１】
図１、図６（図９、図１４、図１６、図２１）に示すように、第一側面７と対向する第四側面２３は開口部２４を備え、第四側面２３と直交する方向における外側から開口部２４を見たときに、調整軸１１に備えられた軸頭部２５は開口部２４の範囲内にある。図６に示すように、開口部２４は例としてひょうたん型の形状である。図６（ｂ）に示すように、開口部２４は、直径Ｇ１の円２４ａと直径Ｇ２の円２４ｂとが上下方向に対して角度θ傾いて中心間距離Ｇ３離れて位置する。一例であるが、第四側面２３のサイズが幅方向２９０ｍｍ、上下方向寸法４００ｍｍの場合、Ｇ１は１００ｍｍ、Ｇ２は７５ｍｍ、Ｇ３は７０ｍｍ、θは３０度である。直径Ｇ２の円２４ｂの右斜め上には、蔓部２４ｃが１０ｍｍ×６ｍｍの寸法で形成されている。円２４ａの中心と円２４ｂの中心とを結ぶ線の中心（中心間距離Ｇ３）は、第四側面２３の略中心位置である。或いは、開口部２４の少なくとも一部が、第四側面２３の中心位置を包含するように形成されてもよい。なお、第四側面２３と開口部２４の寸法、及び開口部２４の位置は一例であり、第四側面２３のサイズが変われば開口部２４のサイズ、及び位置も変更される場合がある。また、固定部材５３の一部である固定部材頭部５３ｂは、開口部２４から腕を挿入すれば手作業により回転させることができる。後述する打楽器１ｂ、打楽器１ｃも同様である。
【００４２】
＜打楽器１ａの音の調整方法＞
次に、第一の実施形態の打楽器１ａにおける音の調整方法を説明する。まず、装置固定部５０によって、弦調整装置３の取付け位置を調整する。図７に示すように、弦調整装置３は、調整装置基台９が前後方向において二点鎖線の９ａと９ｂとの間で調整可能である。前後方向に位置が決まったら、固定部材５３の固定部材頭部５３ｂを回転させながら基台固定部５１に固定する。調整装置基台９は、前後方向における前側に固定されると、第一側面７の内側と弦支持部材１０との距離が短くなり、弦４が打面である第一側面７の内側を押圧する圧力が高くなる。
【００４３】
この場合、発生する音は短い周期のバズ音が発生しやすくなる。調整装置基台９は、前後方向における後側に固定されると、前述に比べて第一側面７の内側と弦支持部材１０との距離が長くなり、弦４が打面である第一側面７の内側を押圧する圧力が低くなる。なお、打楽器１ａが装置固定部５０を備えず、弦調整装置３は前後方向において取付位置の調整ができない場合は、この工程は省かれる。後述する打楽器１ｂ、打楽器１ｃも同様である。
【００４４】
次に、調整軸１１によってさらに調整を行う。前述した、弦調整装置３の取付け位置の調整に対し、調整軸１１による調整はさらなる微調整に当たる。弾性部材１３は、弦支持部材１０が調整軸１１を押圧する方向の弾性力を有する。図３に示すように、調整軸１１を第一側面７の方向である前側に移動させると、弾性部材１３の弾性力に抗して、弦支持部材１０が回転軸８を介して回転する。弦ユニット５における弦４の自由端部４ａの側が第一側面７の内側に接触する方向に移動するか、或いは弦４は第一側面７との接触長さＬが増加する。この場合、弦４が打面である第一側面７の内側を押圧する圧力が高くなる。
【００４５】
図２に示すように、調整軸１１を第一側面７とは反対の方向に移動させると、弾性部材１３によって弦支持部材１０が回転軸８を介して回転し、接触長さＬが減少する。或いは弦４の自由端部４ａの側が第一側面７の内側から遠ざかる方向に移動する。調整後の調整軸１１は、弾性部材１３が有する弾性力によって調整軸１１の雄ネジ部が調整軸支持部１２における雌ネジ部１２ｄを押圧するので移動が停止され、弦支持部材１０の状態が保持される。
【００４６】
調整軸１１における第四側面２３の側には軸頭部２５が備えられる。軸頭部２５は指掛けを有するので（図６参照）、ユーザーは開口部２４から腕を挿入して軸頭部２５を回転させることで調整軸１１を回転させることができる。ユーザーは、打面である第一側面７を外側から叩打して音を確認しながら調整軸１１を回転させて調整を行うことができる。
【００４７】
＜打楽器１ａの作用、効果＞
以上説明したように、打楽器１ａは種々の効果を奏する。なお、打楽器１ａの効果は第二の実施形態の打楽器１ｂ及び第三の実施形態の打楽器１ｃにも共通する。打楽器１ａは、弦４の自由端部４ａと打面である第一側面７の内側とを直接接触させると共に、弦４と打面である第一側面７の内側との接触状態を変化させることで音を調整することができる。打面である第一側面７を外側から叩打すると、第一側面７の内側に接触している弦４が振動して共鳴音が発生する。弦４により固有の振動と音を発生させることができる。
【００４８】
また、調整軸１１を回転させることにより弦支持部材１０を回転させ、弦４と打面である第一側面７の内側との接触状態を変化させて音を調整することができる。調整軸１１は、調整軸１１の雄ネジ部と調整軸支持部１２の雌ネジ部とが螺合しているので、回転させることにより微調整が可能である。また、打楽器１は、調整軸１１を回転させないときは、弾性部材１３が有する弾性力によって調整軸１１の雄ネジ部が調整軸支持部１２における雌ネジ部１２ｄを押圧して調整軸１１の移動が停止され、弦支持部材１０の状態が保持される。よって、打楽器１ａは、調整軸１１で音を調整した状態を保持することができる。この効果は第二の実施形態の打楽器１ｂ及び第三の実施形態の打楽器１ｃも同様である。
【００４９】
また、弦ユニット５は、複数の弦４からなり、弦４は互いに異なる長さを有するものを含めることができる。よって、複数の種類の弦４によって発生させる音を異ならせることができる。
【００５０】
また、図４〜図６に示すように、打楽器１ａは、装置支持部６を構成する装置支持レール６ａと装置基台支持部６ｂとが、第一側面７を挟んで対向する第二側面２１の内側と第三側面２２の内側に備えられ、調整装置基台９を支持する。この場合、打楽器１ａは、調整装置基台９が打面である第一側面７とは異なる第二側面２１と第三側面２２とに支持されるので、打面で発生する音へ及ぼす影響が少ない。なお、図１２〜図１５、図１９〜図２２に示すように、この効果は第二の実施形態の打楽器１ｂ及び第三の実施形態の打楽器１ｃも同様である。
【００５１】
また、図２〜図７に示すように打楽器１ａは、装置固定部５０である以下を備える。調整装置基台９に備えられた基台固定部５１と、装置支持部６の一部である装置基台支持部６ｂと、装置基台支持部６ｂに備えられた基台支持部開口部５２と、基台固定部５１と装置基台支持部６ｂとを固定する固定部材５３とを備える。よって、弦調整装置３は、装置固定部５０により、箱体２に対し前後方向において複数の位置に固定可能である。
【００５２】
この場合、弦調整装置３は、装置固定部５０によって、箱体２に対し前後方向において複数の位置に固定可能なので、弦４と第一側面７の内側との接触状態を調整することができる。なお、図１０〜図１５、図１７〜図２２に示すように、この効果は、第二の実施形態の打楽器１ｂと、第三の実施形態の打楽器１ｃも同様である。
【００５３】
また、図６に示すように、打楽器１ａは第四側面２３に開口部２４を備える。この場合、打楽器１ａは開口部２４から軸頭部２５を操作することができるので、音を調整するときにいちいち第四側面２３を取り外す必要が無い。さらに、開口部２４はサウンドホールとして音出力用の開口の役目を果たす。例として開口部２４はひょうたん型に形成されるが、開口部２４を形成する円２４ａの中心と円２４ｂの中心とを結ぶ線の中心が、第四側面２３の略中心位置である。或いは、開口部２４の少なくとも一部が、第四側面２３の中心位置を包含するように形成されてもよい。よって、打面である第一側面７が叩打されたときに、低音域の音が開口部２４から外部に向かって伝播される。また、箱体２の内部にピックアップを取り付ける際、第四側面２３を取り外す必要が無く、配線も容易である。さらに、図６の例では、開口部２４がひょうたん型の形状に形成されるので、打楽器１ａの美感が向上する。なお、図１４、図２１に示すように、この効果は第二の実施形態の打楽器１ｂ及び第三の実施形態の打楽器１ｃも同様である。
【００５４】
＜第二の実施形態の打楽器１ｂの構成＞
次に、図９〜図１５を参照して、本発明に係る第二の実施形態である打楽器１ｂの構成を説明する。打楽器１ｂは、打楽器１ａに対して以下の要素が異なる。弦調整装置３は、さらに第一側面７に直交する方向に移動可能な可動部１６を備える。調整装置基台９には、可動部１６の移動を案内する可動部案内部２０が形成される。弦支持部材１０は、第一弦支持部材１０ａと第二弦支持部材１０ｂとからなる。第一弦支持部材１０ａと第二弦支持部材１０ｂとは、調整装置基台９を挟んで対象の位置関係にある。弾性部材１３は、第一弾性部材１３ａと第二弾性部材１３ｂとからなる。第一弾性部材１３ａは、第一弦支持部材１０ａと調整装置基台９とに係合される。第二弾性部材１３ｂは、第二弦支持部材１０ｂと調整装置基台９とに係合される。なお、可動部１６の材質は木材が望ましいが、他の材質でもよい。
【００５５】
図９〜図１２に示すように、弦ユニット５は、一端が第一弦支持部材１０ａに固定された第一弦ユニット５ａと、一端が第二弦支持部材１０ｂに固定された第二弦ユニット５ｂとからなる。第一弦ユニット５ａと第二弦ユニット５ｂとの弦４の自由端部４ａは、調整装置基台９を挟んで互いに反対の方向を向いている。第一側面７に直交する方向において、調整軸１１の第一側面７の側の端部１１ｂは、可動部１６を挟んで間接的に弦支持部材１０に接触する。
【００５６】
打楽器１ｂが打楽器１ａと大きく異なるのは、図９〜図１２に示すように、弦ユニット５が上下方向に別々に第一弦ユニット５ａと第二弦ユニット５ｂとを有することである。さらに、調整軸１１を移動させることにより、第一弦支持部材１０ａと第二弦支持部材１０ｂとが同時に回転して、第一弦ユニット５ａの弦４及び第二弦ユニット５ｂの弦４と第一側面７の内側との接触状態が変化することである。なお、調整軸１１の構成と調整軸支持部１２の構成、及び調整軸１１と調整軸支持部１２との関係は、打楽器１ａと同様なので説明は省略する。
【００５７】
打楽器１ｂをさらに詳細に説明する。図１０、図１１に示すように、可動部１６は上下方向にそれぞれ第一接触部１６ｄと第二接触部１６ｅを備え、第一接触部１６ｄは第一弦支持部材１０ａと接触し、第二接触部１６ｅは第二弦支持部材１０ｂと接触する。図１０、図１１、図１３、及び図１５に示すように、例として引きバネが使用される第一弾性部材１３ａは、第三側面２２の側において第一弦支持部材１０ａと調整装置基台９とに係合し、常時お互いを引き合う弾性力が発生している。また、例として引きバネが使用される第二弾性部材１３ｂは、第二側面２１の側において第二弦支持部材１０ｂと調整装置基台９とに係合し、常時お互いを引き合う弾性力が発生している。また、可動部１６の材質は木材、樹脂、金属その他を選択することができる。第一接触部１６ｄと第二接触部１６ｅは可動部１６と一体で形成されてもよいし、別部品として構成して組み立てたものでも良い。
【００５８】
図１０、図１１、図１３〜図１５に示すように、調整軸１１は、可動部１６における上下方向と幅方向の略中心部に接触している。可動部１６は、可動部案内部２０に案内されて、調整軸１１の移動に伴って前後方向に移動可能である。図１４に示すように、可動部案内部２０は、可動部１６を挟んでレール状に幅方向に２箇所設けられ、可動部１６が移動する範囲を案内するように形成されている。調整装置基台９は、打楽器１ａと同様平板状の部材であるが、図９〜図１１、図１３及び図１５に示すように、調整軸１１と可動部１６が移動する範囲は開口している。また、可動部案内部２０の材質は木材が望ましいが、樹脂、金属その他でもよい。
【００５９】
図１０、図１１に示すように、回転軸８は、第一弦支持部材１０ａと第二弦支持部材１０ｂの双方と連結されている。回転軸８は、幅方向に沿って同軸上に形成されている。回転軸８は一つの軸によって形成されてもよいし、２以上に分割された軸であってもよい。
【００６０】
図１２〜図１５に示すように、装置固定部５０は第一の実施形態の打楽器１ａに対して、基台固定部５１と基台支持部開口部５２の位置が異なる。第一の実施形態の打楽器１ａは、固定部材５３が幅方向の略中心の１箇所に位置するよう構成されているのに対し、第二の実施形態の打楽器１ｂ（第三の実施形態の打楽器１ｃも同様）は、固定部材５３は幅方向において何れかの方向に寄った位置にある。これは、第二接触部１６ｅ（第三の実施形態の打楽器１ｃにおいては、第二接触軸１８）が幅方向の略中心の位置にあるためである。なお、図１２〜図１５では、基台固定部５１と基台支持部開口部５２及び固定部材５３が２箇所に形成されているが、何れか一方のみでも良い。また、固定部材５３の一部である固定部材頭部５３ｂは、開口部２４から腕を挿入すれば手作業により回転させることができる。
【００６１】
＜打楽器１ｂの音の調整方法＞
次に、第二の実施形態の打楽器１ｂにおける音の調整方法を説明する。打楽器１ｂは、打楽器１ａと異なって、弦ユニット５が上下方向に別々に第一弦ユニット５ａと第二弦ユニット５ｂとを有する。しかしながら、音を調整するユーザーの作業は打楽器１ａと同様である。まず、装置固定部５０によって、弦調整装置３の取付け位置を調整する。調整方法は打楽器１ａと同様である。打楽器１ｂは、１箇所或いは２箇所の固定部材５３の位置が異なることと、固定部材５３が２箇所に備えられたときは、それぞれの固定部材５３において調整装置基台９の前後方向の位置を調整する。第三の実施形態の打楽器１ｃも同様である。
【００６２】
次に、調整軸１１によってさらに調整を行う。ユーザーは、開口部２４から腕を挿入して調整軸１１における第四側面２３の側の軸頭部２５を回転させる。調整軸１１が前後方向に移動するのに伴い、可動部１６が前後方向に移動して第一弦支持部材１０ａと第二弦支持部材１０ｂとが同時に回転する。ユーザーは、打面である第一側面７の外側を叩打して確認しながら音を調整する。調整によって得られる音の効果は打楽器１ａと同様なので説明は省略する。
【００６３】
＜打楽器１ｂの作用、効果＞
以上説明したように、打楽器１ｂは種々の効果を奏する。打楽器１ｂは打楽器１ａの効果に加えてさらに以下の効果を奏する。図９〜図１２に示すように、打楽器１ｂは、第一弦ユニット５ａと第二弦ユニット５ｂとを備え、打面である第一側面７の内側にそれぞれ接触する。よって、打面を叩打したときに、弦ユニット５が１つのみの場合に比べて上下方向に隔たれた位置で弦４と打面の内側との振動音を発生させることができる。従来には無かった音を発生させることができる。
【００６４】
また、図１０、図１１に示すように、打楽器１ｂは、調整軸１１の第一側面７の側の端部１１ｂが、可動部１６を挟んで間接的に弦支持部材１０に接触する。第一弦支持部材１０ａと第二弦支持部材１０ｂとは、調整装置基台９を挟んで対象の位置関係にあり、第一弦ユニット５ａと第二弦ユニット５ｂとの弦４の自由端部４ａは、調整装置基台９を挟んで互いに反対の方向に向いている。よって、調整軸１１を回転させることにより、第一弦支持部材１０ａと第二弦支持部材１０ｂとを同時に回転させることができるので、第一弦ユニット５ａと第二弦ユニット５ｂとが第一側面７の内側と接触する状態を変化させることができる。
【００６５】
また、図１０、図１１、図１３及び図１５に示すように、打楽器１ｂは、第一弦支持部材１０ａと調整装置基台９とに係合された第一弾性部材１３ａを備える。さらに打楽器１ｂは、第二弦支持部材１０ｂと調整装置基台９とに係合された第二弾性部材１３ｂを備える。第一弦支持部材１０ａは第一弾性部材１３ａにより、第二弦支持部材１０ｂは第二弾性部材１３ｂにより、回転した状態が保持される。よって、打楽器１ｂは、調整軸１１により第一弦支持部材１０ａと第二弦支持部材１０ｂとを同時に回転させ、音を調整した状態を保持することができる。
【００６６】
＜第三の実施形態の打楽器１ｃの構成＞
次に、図１６〜図２２を参照して、本発明に係る第三の実施形態である打楽器１ｃの構成を説明する。打楽器１ｃは、打楽器１ｂに対して以下の要素が異なる。図１７、図１８に示すように、打楽器１ｃの調整装置基台９には、さらに調整軸１１よりも第一側面７の側に接触軸支持部２７が形成される。図１７、図１８、図２０及び図２２に示すように、打楽器１ｃの可動部１６は以下の構成である。可動部１６は、可動プレート１６ａと、第一接触軸１７と、第二接触軸１８とを備える。第一接触軸１７は、一端が可動プレート１６ａに固定され、他端が第一弦支持部材１０ａに接触し、調整軸１１と平行に延びる。第二接触軸１８は、一端が可動プレート１６ａに固定され、他端が第二弦支持部材１０ｂに接触し、調整軸１１と平行に延びる。
【００６７】
図１７、図１８に示すように、第一接触軸１７と第二接触軸１８とは、調整装置基台９を挟んで対象の位置関係にある。回転軸８は、調整装置基台９と第一弦支持部材１０ａとに連結された第一回転軸８ａと、調整装置基台９と第二弦支持部材１０ｂとに連結された第二回転軸８ｂとからなる。
【００６８】
図２０〜図２２に示すように、第一弾性部材１３ａは、第一弦支持部材１０ａと接触軸支持部２７とに係合される。第二弾性部材１３ｂは、第二弦支持部材１０ｂと接触軸支持部２７とに係合される。図１７、図１８、及び図２１に示すように、調整装置基台９は、可動部１６の移動を案内する可動部案内部２０を備え、調整軸１１が移動すると、可動プレート１６ａが移動する。可動プレート１６ａが移動すると、第一接触軸１７が第一弦支持部材１０ａを作動させ、第二接触軸１８が第二弦支持部材１０ｂを作動させる。
【００６９】
打楽器１ｃをさらに詳細に説明すると、打楽器１ｂと同様に弦ユニット５が第一弦ユニット５ａと第二弦ユニット５ｂとからなり、さらに以下の要素が加わっている。図１７、図１８に示すように、可動部１６は、可動プレート１６ａと、第一接触軸１７と、第二接触軸１８との３つの要素からなる。回転軸８は、第一回転軸８ａと第二回転軸８ｂとからなる。接触軸支持部２７には、第一接触軸１７と第二接触軸１８とが貫通する貫通孔が設けられている。なお、装置固定部５０の構成は、第二の実施形態の打楽器１ｂと同様なので説明は省略する。また、打楽器１ｃにおける音の調整方法は、打楽器１ｂと同様なので説明は省略する。
【００７０】
図１７、図１８に示すように、第一接触軸１７と第二接触軸１８とは、可動プレート１６ａに対してそれぞれ第一側面７と直交する方向への移動と固定とが可能である。第一接触軸１７と第二接触軸１８はそれぞれの少なくとも一部に雄ネジが形成されている。可動プレート１６ａには雌ネジが形成されている。第一接触軸１７と第二接触軸１８は可動プレート１６ａとそれぞれ螺合している。よって、第一接触軸１７と第二接触軸１８は、前後方向において可動プレート１６ａとの相対的な位置を変更することができる。なお、第一接触軸１７と第二接触軸１８にはそれぞれナット１６ｂが取り付けられている。例えば、図１７の第二接触軸１８において二点鎖線で示した例で説明する。第一接触軸１７又は第二接触軸１８を可動プレート１６ａに対して相対的に後ろ側（第四側面２３の側）に移動させたとき、その移動量の分だけナット１６ｂを前側（第一側面７の側）へ移動させる。第一接触軸１７及び第二接触軸１８は、ナット１６ｂとの締結力によって可動プレート１６ａとの相対的な位置関係が決まる。
【００７１】
＜打楽器１ｃの作用、効果＞
以上説明したように、打楽器１ｃは種々の効果を奏する。打楽器１ｃは打楽器１ｂの効果に加えてさらに以下の効果を奏する。図１７、図１８に示すように、打楽器１ｃは、第一弦支持部材１０ａと第二弦支持部材１０ｂとが、それぞれ独立した第一回転軸８ａと第二回転軸８ｂに連結される。第一弦支持部材１０ａと第二弦支持部材１０ｂとは、可動部１６として可動プレート１６ａに固定された第一接触軸１７と第二接触軸１８とに接触する。可動部１６は、可動部案内部２０によって移動する際に案内される。接触軸支持部２７は、第一接触軸１７と第二接触軸１８とを支持すると共に、第一接触軸１７と第二接触軸１８とが前後方向に移動するとき案内の役目を果たす。よって、調整軸１１を回転させたときに、第一弦支持部材１０ａと第二弦支持部材１０ｂとを同時により確実に回転させ、音を調整することができる。
【００７２】
また、図１７、図１８に示すように、打楽器１ｃは、第一接触軸１７と第二接触軸１８とは、可動プレート１６ａに対してそれぞれ第一側面７と直交する方向への移動と固定とが可能である。この場合、第一弦支持部材１０ａと第一接触軸１７との接触状態と第二弦支持部材１０ｂと第二接触軸１８との接触状態とをそれぞれ独立して調整することができる。よって、第一弦ユニット５ａと第二弦ユニット５ｂとがそれぞれ第一側面７の内側と接触する状態を独立して調整することができる。
【００７３】
＜変形例＞
なお、本発明は上記の実施形態に限定されるものではなく、種々の変更が可能である。例えば、箱体２は第四側面２３に開口部２４を備えた例を示したがこれに限らない。他の側面に開口部２４を備えてもよいし、或いは、第四側面２３に相当する部分が無く全体が開口してもよい。
【００７４】
また、箱体２は略直方体の形状を想定して説明したが、これに限らない。例えば、各側面の内の何れかが湾曲し、部分的に膨らみを有するか或いは凹みを有してもよい。また、各側面は板状の部材からなる例を示したが、これに限らない。例えば、外側或いは内側に凹凸を有するものでもよい。
【００７５】
また、調整軸支持部１２と、接触軸支持部２７、及び可動部案内部２０は、調整装置基台９と一体に形成されても良いし、それぞれが別部品であって調整装置基台９に固定されても良い。
【符号の説明】
【００７６】
１、１ａ、１ｂ、１ｃ    打楽器
２    箱体
３  弦調整装置
４    弦
４ａ    自由端部
５    弦ユニット
５ａ    第一弦ユニット
５ｂ    第二弦ユニット
６    装置支持部
６ａ  装置支持レール
６ｂ    装置基台支持部
７    第一側面
８    回転軸
８ａ    第一回転軸
８ｂ    第二回転軸
９    調整装置基台
１０    弦支持部材
１０ａ    第一弦支持部材
１０ｂ    第二弦支持部材
１１    調整軸
１１ｃ    中心軸
１２    調整軸支持部
１２ｄ    雌ネジ部
１３    弾性部材
１３ａ    第一弾性部材
１３ｂ    第二弾性部材
１６    可動部
１６ａ    可動プレート
１７    第一接触軸
１８    第二接触軸
２０    可動部案内部
２１    第二側面
２２    第三側面
２３    第四側面
２４    開口部
２５    軸頭部
２７    接触軸支持部
５０    装置固定部
５１    基台固定部
５２    基台支持部開口部
５３    固定部材
５３ａ    固定部材軸部
５３ｂ    固定部材頭部
Ｌ    接触長さ
【図１】
2020020900.tif 000003
【図２】
2020020900.tif 000004
【図３】
2020020900.tif 000005
【図４】
2020020900.tif 000006
【図５】
2020020900.tif 000007
【図６】
2020020900.tif 000008
【図７】
2020020900.tif 000009
【図８】
2020020900.tif 000010
【図９】
2020020900.tif 000011
【図１０】
2020020900.tif 000012
【図１１】
2020020900.tif 000013
【図１２】
2020020900.tif 000014
【図１３】
2020020900.tif 000015
【図１４】
2020020900.tif 000016
【図１５】
2020020900.tif 000017
【図１６】
2020020900.tif 000018
【図１７】
2020020900.tif 000019
【図１８】
2020020900.tif 000020
【図１９】
2020020900.tif 000021
【図２０】
2020020900.tif 000022
【図２１】
2020020900.tif 000023
【図２２】
2020020900.tif 000024
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
各側面が板状部材で形成された箱体と、
前記箱体の内部に取り付け可能な弦調整装置と、
一端が前記弦調整装置に固定された弦からなる弦ユニットと、
前記弦調整装置を前記箱体の内部に支持する装置支持部と
を備え、
前記弦調整装置は、
前記側面のうちの第一側面に対して平行な回転軸と、
前記弦ユニットを支持し、前記回転軸に連結された弦支持部材と、
前記弦支持部材を作動させる調整軸と、
前記装置支持部に支持される調整装置基台と、
前記調整装置基台に形成され、前記調整軸を支持する調整軸支持部と、
前記弦支持部材と、前記調整装置基台とに係合された弾性部材とを備え、
前記調整軸は、前記第一側面と直交する方向に中心軸を有し、該中心軸の周りに回転可能であり、少なくとも一部に雄ネジ部を備え、
前記調整軸支持部は雌ネジ部を備え、前記調整軸と前記調整軸支持部とが螺合し、
前記調整軸は、該中心軸の周りに回転させると前記調整軸支持部に対して前記第一側面と直交する方向に移動し、
前記調整軸における前記第一側面の側の端部は、直接的に又は間接的に前記弦支持部材に接触し、
前記弾性部材は、前記弦支持部材と前記調整装置基台とが互いに引き合う方向の弾性力を有し、前記調整軸を回転させないときは、前記弦支持部材と前記調整軸とはそれぞれの状態が保持され、
前記調整軸を前記第一側面の方向に移動させると、前記弾性部材の弾性力に抗して前記弦支持部材が前記回転軸を介して回転し、前記弦ユニットにおける前記弦の自由端部の側が前記第一側面の内側に接触する方向に移動するか、或いは前記弦と前記第一側面との接触長さが増加し、
前記調整軸を前記第一側面とは反対の方向に移動させると、前記弾性部材によって前記弦支持部材が前記回転軸を介して回転し、前記接触長さが減少するか、或いは前記弦の自由端部の側が前記第一側面の内側から遠ざかる方向に移動し、
さらに、前記弦調整装置を前記箱体の内部に取り付ける装置固定部を備え、
前記装置固定部は、
前記調整装置基台に備えられた基台固定部と、
前記調整装置基台と前記装置支持部とを固定する固定部材と、
前記装置支持部にあって、前記基台固定部と対応する位置に基台支持部開口部を備え、
前記固定部材は、前記基台固定部と係合する固定部材軸部と、固定部材頭部とを備え、
前記基台支持部開口部は、前記固定部材軸部が挿入可能であり、前記第一側面に直交する方向において前記固定部材軸部よりも大きな開口を有し、
前記弦調整装置は、前記装置支持部に対して前記第一側面に直交する方向に移動可能であって、複数の位置に固定可能であることを特徴とする打楽器。
【請求項２】
各側面が板状部材で形成された箱体と、
前記箱体の内部に取り付け可能な弦調整装置と、
一端が前記弦調整装置に固定された弦からなる弦ユニットと、
前記弦調整装置を前記箱体の内部に支持する装置支持部と
を備え、
前記弦調整装置は、
前記側面のうちの第一側面に対して平行な回転軸と、
前記弦ユニットを支持し、前記回転軸に連結された弦支持部材と、
前記弦支持部材を作動させる調整軸と、
前記装置支持部に支持される調整装置基台と、
前記調整装置基台に形成され、前記調整軸を支持する調整軸支持部と、
前記弦支持部材と、前記調整装置基台とに係合された弾性部材とを備え、
前記調整軸は、前記第一側面と直交する方向に中心軸を有し、該中心軸の周りに回転可能であり、少なくとも一部に雄ネジ部を備え、
前記調整軸支持部は雌ネジ部を備え、前記調整軸と前記調整軸支持部とが螺合し、
前記調整軸は、該中心軸の周りに回転させると前記調整軸支持部に対して前記第一側面と直交する方向に移動し、
前記調整軸における前記第一側面の側の端部は、直接的に又は間接的に前記弦支持部材に接触し、
前記弾性部材は、前記弦支持部材と前記調整装置基台とが互いに引き合う方向の弾性力を有し、前記調整軸を回転させないときは、前記弦支持部材と前記調整軸とはそれぞれの状態が保持され、
前記調整軸を前記第一側面の方向に移動させると、前記弾性部材の弾性力に抗して前記弦支持部材が前記回転軸を介して回転し、前記弦ユニットにおける前記弦の自由端部の側が前記第一側面の内側に接触する方向に移動するか、或いは前記弦と前記第一側面との接触長さが増加し、
前記調整軸を前記第一側面とは反対の方向に移動させると、前記弾性部材によって前記弦支持部材が前記回転軸を介して回転し、前記接触長さが減少するか、或いは前記弦の自由端部の側が前記第一側面の内側から遠ざかる方向に移動し、
前記弦調整装置は、さらに前記第一側面に直交する方向に移動可能な可動部を備え、
前記調整装置基台には、前記可動部の移動を案内する可動部案内部が形成され、
前記弦支持部材は、第一弦支持部材と第二弦支持部材とからなり、
前記第一弦支持部材と前記第二弦支持部材とは、前記調整装置基台を挟んで対象の位置関係にあり、
前記弾性部材は、前記第一弦支持部材と前記調整装置基台とに係合された第一弾性部材と、前記第二弦支持部材と前記調整装置基台とに係合された第二弾性部材とからなり、
前記弦ユニットは、一端が前記第一弦支持部材に固定された第一弦ユニットと、一端が前記第二弦支持部材に固定された第二弦ユニットとからなり、
前記第一弦ユニットと前記第二弦ユニットとの前記弦の自由端部は、前記調整装置基台を挟んで互いに反対の方向に向いており、
前記第一側面に直交する方向において、前記調整軸の前記第一側面の側の端部は、前記可動部を挟んで間接的に前記第一弦支持部材と前記第二弦支持部材に接触し、
前記調整軸が移動すると、前記可動部が移動して前記第一弦支持部材と前記第二弦支持部材とを作動させることを特徴とする打楽器。
【請求項３】
前記調整装置基台には、さらに前記調整軸よりも前記第一側面の側に接触軸支持部が形成され、
前記可動部は、
可動プレートと、
一端が前記可動プレートに固定され、他端が前記第一弦支持部材に接触し、前記調整軸と平行に延びる第一接触軸と、
一端が前記可動プレートに固定され、他端が前記第二弦支持部材に接触し、前記調整軸と平行に延びる第二接触軸とを備え、
前記第一接触軸と前記第二接触軸とは、前記調整装置基台を挟んで対象の位置関係にあり、
前記回転軸は、前記調整装置基台と前記第一弦支持部材とに連結された第一回転軸と、前記調整装置基台と前記第二弦支持部材とに連結された第二回転軸とからなり、
前記接触軸支持部は、前記第一接触軸と前記第二接触軸とを支持し、
前記第一弾性部材は、前記第一弦支持部材と前記接触軸支持部とに係合され、
前記第二弾性部材は、前記第二弦支持部材と前記接触軸支持部とに係合され、
前記調整軸が移動すると、前記可動プレートが移動し、前記第一接触軸が前記第一弦支持部材を作動させ、前記第二接触軸が前記第二弦支持部材を作動させることを特徴とする請求項２に記載の打楽器。
【請求項４】
前記第一接触軸と前記第二接触軸とは、前記可動プレートに対してそれぞれ前記第一側面と直交する方向への移動と固定とが可能であることを特徴とする請求項３に記載の打楽器。
【請求項５】
前記弦ユニットは前記弦を複数本備え、前記弦は互いに異なる長さを有するものが含まれることを特徴とする請求項１から４の何れかに記載の打楽器。
【請求項６】
前記装置支持部は、前記第一側面を挟んで対向する第二側面の内側と第三側面の内側に備えられ、前記調整装置基台を支持することを特徴とする請求項１から５の何れかに記載の打楽器。
【請求項７】
前記第一側面と対向する第四側面は開口部を備え、
前記第四側面と直交する方向における外側から前記開口部を見たときに、前記調整軸に備えられた軸頭部は前記開口部の範囲内にあることを特徴とする請求項１から６の何れかに記載の打楽器。
【手続補正２】
【補正対象書類名】明細書
【補正対象項目名】０００６
【補正方法】変更
【補正の内容】
【０００６】
本発明の第一の態様に係る打楽器は、各側面が板状部材で形成された箱体と、前記箱体の内部に取り付け可能な弦調整装置と、一端が前記弦調整装置に固定された弦からなる弦ユニットと、前記弦調整装置を前記箱体の内部に支持する装置支持部とを備え、前記弦調整装置は、前記側面のうちの第一側面に対して平行な回転軸と、前記弦ユニットを支持し、前記回転軸に連結された弦支持部材と、前記弦支持部材を作動させる調整軸と、前記装置支持部に支持される調整装置基台と、前記調整装置基台に形成され、前記調整軸を支持する調整軸支持部と、前記弦支持部材と、前記調整装置基台とに係合された弾性部材とを備え、前記調整軸は、前記第一側面と直交する方向に中心軸を有し、該中心軸の周りに回転可能であり、少なくとも一部に雄ネジ部を備え、前記調整軸支持部は雌ネジ部を備え、前記調整軸と前記調整軸支持部とが螺合し、前記調整軸は、該中心軸の周りに回転させると前記調整軸支持部に対して前記第一側面と直交する方向に移動し、前記調整軸における前記第一側面の側の端部は、直接的に又は間接的に前記弦支持部材に接触し、前記弾性部材は、前記弦支持部材と前記調整装置基台とが互いに引き合う方向の弾性力を有し、前記調整軸を回転させないときは、前記弦支持部材と前記調整軸とはそれぞれの状態が保持され、前記調整軸を前記第一側面の方向に移動させると、前記弾性部材の弾性力に抗して前記弦支持部材が前記回転軸を介して回転し、前記弦ユニットにおける前記弦の自由端部の側が前記第一側面の内側に接触する方向に移動するか、或いは前記弦と前記第一側面との接触長さが増加し、前記調整軸を前記第一側面とは反対の方向に移動させると、前記弾性部材によって前記弦支持部材が前記回転軸を介して回転し、前記接触長さが減少するか、或いは前記弦の自由端部の側が前記第一側面の内側から遠ざかる方向に移動し、さらに、前記弦調整装置を前記箱体の内部に取り付ける装置固定部を備え、前記装置固定部は、前記調整装置基台に備えられた基台固定部と、前記調整装置基台と前記装置支持部とを固定する固定部材と、前記装置支持部にあって、前記基台固定部と対応する位置に基台支持部開口部を備え、前記固定部材は、前記基台固定部と係合する固定部材軸部と、固定部材頭部とを備え、前記基台支持部開口部は、前記固定部材軸部が挿入可能であり、前記第一側面に直交する方向において前記固定部材軸部よりも大きな開口を有し、前記弦調整装置は、前記装置支持部に対して前記第一側面に直交する方向に移動可能であって、複数の位置に固定可能であることを特徴とする。
【手続補正３】
【補正対象書類名】明細書
【補正対象項目名】０００７
【補正方法】変更
【補正の内容】
【０００７】
これによれば、打楽器は、弦の自由端部と打面とを直接接触させると共に、弦と打面である第一側面の内側との接触状態を変化させることで音を調整することができる。また、調整軸を回転させることにより弦支持部材を回転させ、弦と打面である第一側面の内側との接触状態を変化させて音を調整することができる。調整軸は、調整軸の雄ネジ部と調整軸支持部の雌ネジ部とが螺合しているので、回転させることにより微調整が可能である。また、打楽器は、調整軸を回転させないときは、弾性部材が有する弾性力によって弦支持部材の状態が保持される。よって、打楽器は、調整軸で音を調整した状態を保持することができる。また、弦調整装置は、装置固定部によって、箱体に対し前後方向において複数の位置に固定可能なので、弦と第一側面の内側との接触状態を調整することができる。
【手続補正４】
【補正対象書類名】明細書
【補正対象項目名】０００８
【補正方法】変更
【補正の内容】
【０００８】
本発明の第二の態様に係る打楽器は、各側面が板状部材で形成された箱体と、前記箱体の内部に取り付け可能な弦調整装置と、一端が前記弦調整装置に固定された弦からなる弦ユニットと、前記弦調整装置を前記箱体の内部に支持する装置支持部とを備え、前記弦調整装置は、前記側面のうちの第一側面に対して平行な回転軸と、前記弦ユニットを支持し、前記回転軸に連結された弦支持部材と、前記弦支持部材を作動させる調整軸と、前記装置支持部に支持される調整装置基台と、前記調整装置基台に形成され、前記調整軸を支持する調整軸支持部と、前記弦支持部材と、前記調整装置基台とに係合された弾性部材とを備え、前記調整軸は、前記第一側面と直交する方向に中心軸を有し、該中心軸の周りに回転可能であり、少なくとも一部に雄ネジ部を備え、前記調整軸支持部は雌ネジ部を備え、前記調整軸と前記調整軸支持部とが螺合し、前記調整軸は、該中心軸の周りに回転させると前記調整軸支持部に対して前記第一側面と直交する方向に移動し、前記調整軸における前記第一側面の側の端部は、直接的に又は間接的に前記弦支持部材に接触し、前記弾性部材は、前記弦支持部材と前記調整装置基台とが互いに引き合う方向の弾性力を有し、前記調整軸を回転させないときは、前記弦支持部材と前記調整軸とはそれぞれの状態が保持され、前記調整軸を前記第一側面の方向に移動させると、前記弾性部材の弾性力に抗して前記弦支持部材が前記回転軸を介して回転し、前記弦ユニットにおける前記弦の自由端部の側が前記第一側面の内側に接触する方向に移動するか、或いは前記弦と前記第一側面との接触長さが増加し、前記調整軸を前記第一側面とは反対の方向に移動させると、前記弾性部材によって前記弦支持部材が前記回転軸を介して回転し、前記接触長さが減少するか、或いは前記弦の自由端部の側が前記第一側面の内側から遠ざかる方向に移動し、前記弦調整装置は、さらに前記第一側面に直交する方向に移動可能な可動部を備え、前記調整装置基台には、前記可動部の移動を案内する可動部案内部が形成され、前記弦支持部材は、第一弦支持部材と第二弦支持部材とからなり、前記第一弦支持部材と前記第二弦支持部材とは、前記調整装置基台を挟んで対象の位置関係にあり、前記弾性部材は、前記第一弦支持部材と前記調整装置基台とに係合された第一弾性部材と、前記第二弦支持部材と前記調整装置基台とに係合された第二弾性部材とからなり、前記弦ユニットは、一端が前記第一弦支持部材に固定された第一弦ユニットと、一端が前記第二弦支持部材に固定された第二弦ユニットとからなり、前記第一弦ユニットと前記第二弦ユニットとの前記弦の自由端部は、前記調整装置基台を挟んで互いに反対の方向に向いており、前記第一側面に直交する方向において、前記調整軸の前記第一側面の側の端部は、前記可動部を挟んで間接的に前記第一弦支持部材と前記第二弦支持部材に接触し、前記調整軸が移動すると、前記可動部が移動して前記第一弦支持部材と前記第二弦支持部材とを作動させることを特徴とする。
【手続補正５】
【補正対象書類名】明細書
【補正対象項目名】０００９
【補正方法】変更
【補正の内容】
【０００９】
これによれば、打楽器は、弦の自由端部と打面とを直接接触させると共に、弦と打面である第一側面の内側との接触状態を変化させることで音を調整することができる。また、調整軸を回転させることにより弦支持部材を回転させ、弦と打面である第一側面の内側との接触状態を変化させて音を調整することができる。調整軸は、調整軸の雄ネジ部と調整軸支持部の雌ネジ部とが螺合しているので、回転させることにより微調整が可能である。また、打楽器は、調整軸を回転させないときは、弾性部材が有する弾性力によって弦支持部材の状態が保持される。よって、打楽器は、調整軸で音を調整した状態を保持することができる。
【手続補正６】
【補正対象書類名】明細書
【補正対象項目名】００１０
【補正方法】変更
【補正の内容】
【００１０】
また、打楽器は、第一弦ユニットと第二弦ユニットとを備え、打面である第一側面の内側にそれぞれ接触する。よって、打面を叩打したときに、弦ユニットが１つのみの場合に比べて上下方向に隔たれた位置で弦と打面の内側との振動音を発生させることができる。従来には無かった音を発生させることができる。
【手続補正７】
【補正対象書類名】明細書
【補正対象項目名】００１１
【補正方法】変更
【補正の内容】
【００１１】
また、調整軸の第一側面の側の端部は、可動部を挟んで間接的に弦支持部材に接触する。可動部は、可動部案内部によって移動する際に案内される。第一弦支持部材と第二弦支持部材とは、調整装置基台を挟んで対象の位置関係にあり、第一弦ユニットと第二弦ユニットとは、調整装置基台を挟んで互いに反対の方向に延びる。よって、調整軸を回転させることにより、第一弦支持部材と第二弦支持部材とを同時に回転させることができるので、第一弦ユニットと第二弦ユニットとが第一側面の内側と接触する状態を変化させることができる。
【手続補正８】
【補正対象書類名】明細書
【補正対象項目名】００１２
【補正方法】変更
【補正の内容】
【００１２】
また、第一弦支持部材と調整装置基台とに係合された第一弾性部材を備える。第二弦支持部材と調整装置基台とに係合された第二弾性部材を備える。第一弦支持部材は第一弾性部材により、第二弦支持部材は第二弾性部材により、回転した状態が保持される。よって、打楽器は、調整軸により第一弦支持部材と第二弦支持部材とを同時に回転させ、音を調整した状態を保持することができる。
【手続補正９】
【補正対象書類名】明細書
【補正対象項目名】００１６
【補正方法】変更
【補正の内容】
【００１６】
また、前記打楽器は、前記弦ユニットが前記弦を複数本備え、前記弦は互いに異なる長さを有するものが含まれてもよい。この場合、複数本であってさらには異なる長さの弦が含まれることにより発生する振動音を得ることができる。
【手続補正１０】
【補正対象書類名】明細書
【補正対象項目名】００１７
【補正方法】変更
【補正の内容】
【００１７】
また、前記打楽器は、前記装置支持部が、前記第一側面を挟んで対向する第二側面の内側と第三側面の内側に備えられ、前記調整装置基台を支持してもよい。
【手続補正１１】
【補正対象書類名】明細書
【補正対象項目名】００１８
【補正方法】変更
【補正の内容】
【００１８】
この場合、打楽器は、調整装置基台が打面である第一側面とは異なる第二側面と第三側面とに支持されるので、打面で発生する音へ及ぼす影響が少ない。
【手続補正１２】
【補正対象書類名】明細書
【補正対象項目名】００１９
【補正方法】変更
【補正の内容】
【００１９】
また、前記打楽器は、前記第一側面と対向する第四側面は開口部を備え、前記第四側面と直交する方向における外側から前記開口部を見たときに、前記調整軸に備えられた軸頭部は前記開口部の範囲内にあってもよい。
【手続補正１３】
【補正対象書類名】明細書
【補正対象項目名】００２０
【補正方法】変更
【補正の内容】
【００２０】
この場合、打楽器は開口部から軸頭部を操作することができるので、音を調整するときにいちいち第四側面を取り外す必要が無い。さらに、開口部は音出力用の開口の役目を果たす。打楽器は開口部から軸頭部を操作することができるので、音を調整するときにいちいち第四側面を取り外す必要が無い。